(57)【要約】【課題】従来よりも簡単に組立てや収納が可能であり、被介護者の洗浄や殺菌も効率的に実施可能な高機能入浴デバイスを提供する。【解決手段】合成樹脂及び／又はゴムからなる矩形状のシート材１１で構成された高機能入浴デバイス１０であり、シート材１１には、長方形状の底板部１２と、底板部１２の４辺に対して立設状態となる第１〜第４の側板部１３〜１６と、底板部１２の角部に位置する第１〜第４の連結板部１７〜２０が形成され、更に、隣り合う第１〜第４の側板部１３〜１６を第１〜第４の連結板部１７〜２０を介して取り外し可能に連結し、第１〜第４の側板部１３〜１６の立設状態を維持させる保持手段４０が設けられている。【選択図】図１
2017217134.tif 000002
【特許請求の範囲】
【請求項１】
合成樹脂及びゴムのいずれか一方又は双方からなる矩形状のシート材で構成された高機能入浴デバイスであって、
前記シート材には、長方形状の底板部と、該底板部の４辺に対して立設状態となる第１〜第４の側板部と、前記底板部の角部に位置する第１〜第４の連結板部が形成され、
更に、隣り合う前記第１〜第４の側板部を前記第１〜第４の連結板部を介して取り外し可能に連結し、前記第１〜第４の側板部の立設状態を維持させる保持手段が設けられたことを特徴とする高機能入浴デバイス。
【請求項２】
請求項１記載の高機能入浴デバイスにおいて、前記シート材は、防水性を有する合成樹脂であることを特徴とする高機能入浴デバイス。
【請求項３】
請求項１又は２記載の高機能入浴デバイスにおいて、前記第１〜第４の側板部のうち、対向する長尺側の側板部には、該側板部同士を仮連結する固定手段が設けられていることを特徴とする高機能入浴デバイス。
【請求項４】
請求項１〜３のいずれか１項に記載の高機能入浴デバイスにおいて、前記底板部及び前記第１〜第４の側板部のいずれか１又は２以上には、バルブ又は栓付きの排水口が設けられていることを特徴とする高機能入浴デバイス。
【請求項５】
請求項１〜４のいずれか１項に記載の高機能入浴デバイスにおいて、前記底板部と前記第１〜第４の側板部とで形成された浴槽内にマイクロナノバブルを供給する機構が、該浴槽内又は外部に設けられていることを特徴とする高機能入浴デバイス。
【発明の詳細な説明】
【技術分野】
【０００１】
本発明は、例えば、寝たきりや要介護者の利用に適した簡易型の高機能入浴デバイスに関する。
【背景技術】
【０００２】
従来、介護においては、介護者が介護される人（以下、被介護者ともいう）を浴槽に運び入れて入浴させる介助作業がある。例えば、自宅においては、介護者が被介護者を浴室まで運んだり、また、介護用車に自宅まで来てもらい、介護者が被介護者を介護用車の浴槽まで運んだりして、入浴させている。
しかし、この場合、介護者が被介護者を特定の場所まで運ばなければならず、人的労力が多大になると共に、不便であり、改善が望まれていた。
【０００３】
上記した問題の改善方法として、簡易型の浴槽を用いることが考えられる。この簡易型の浴槽に関しては、例えば、以下の技術が提案されている。
特許文献１には、離間した一組の脚部に一組の棒状部材を横架して形成される枠組み構成体に、浴槽用無蓋箱状シートを設けて浴槽空間を形成した簡易浴槽が開示されている。
また、特許文献２には、２枚の平面シートを線形溶着し、３方又は４方の立体側壁を形成する空気室からなる折り畳み式浴槽が開示されている。
【先行技術文献】
【特許文献】
【０００４】
【特許文献１】特開２００３−１８０７８６号公報
【特許文献２】特開２００２−８５５０６号公報
【発明の概要】
【発明が解決しようとする課題】
【０００５】
しかしながら、特許文献１に開示の簡易浴槽は、脚部となる棒材と棒状部材を有する枠組み構成体を用いるため、構成部品の数が多く、簡易浴槽の組立てや解体の際の作業性が悪くなる。なお、簡易浴槽の収納においても、枠組み構成体の収納スペースを確保する必要がある。
また、特許文献２に開示の折り畳み式浴槽は、立体側壁の形成に際し、線形溶着された２枚の平面シート間に空気を供給する必要があるため、例えば、空気を供給するポンプ等を別途準備しなければならない。
なお、簡易型の浴槽を用いた際には、例えば、体の洗浄を十分に行うことができず、また、衛生的にも充分なものではないという懸念もある。
【０００６】
本発明はかかる事情に鑑みてなされたもので、従来よりも簡単に組立てや収納が可能であり、被介護者の洗浄や殺菌も効率的に実施可能な高機能入浴デバイスを提供することを目的とする。
【課題を解決するための手段】
【０００７】
前記目的に沿う本発明に係る高機能入浴デバイスは、合成樹脂及びゴムのいずれか一方又は双方からなる矩形状のシート材で構成された高機能入浴デバイスであって、
前記シート材には、長方形状の底板部と、該底板部の４辺に対して立設状態となる第１〜第４の側板部と、前記底板部の角部に位置する第１〜第４の連結板部が形成され、
更に、隣り合う前記第１〜第４の側板部を前記第１〜第４の連結板部を介して取り外し可能に連結し、前記第１〜第４の側板部の立設状態を維持させる保持手段が設けられている。
【０００８】
本発明に係る高機能入浴デバイスにおいて、前記シート材は、防水性を有する合成樹脂であるのがよい。
【０００９】
本発明に係る高機能入浴デバイスにおいて、前記第１〜第４の側板部のうち、対向する長尺側の側板部には、該側板部同士を仮連結する固定手段を設けることができる。
【００１０】
本発明に係る高機能入浴デバイスにおいて、前記底板部及び前記第１〜第４の側板部のいずれか１又は２以上に、バルブ又は栓付きの排水口を設けることが好ましい。
【００１１】
本発明に係る高機能入浴デバイスにおいて、前記底板部と前記第１〜第４の側板部とで形成された浴槽内にマイクロナノバブルを供給する機構が、該浴槽内又は外部に設けられていることが好ましい。
【発明の効果】
【００１２】
本発明に係る高機能入浴デバイスは、合成樹脂及び／又はゴムで構成されたシート材に、長方形状の底板部と第１〜第４の側板部と第１〜第４の連結板部を形成し、この第１〜第４の側板部の立設状態を保持手段によって維持させるので、１枚のシート材を用いて入浴可能な空間、即ち浴槽を形成できる。
従って、従来よりも簡単に組立てや収納ができる。
【００１３】
ここで、対向する長尺側の側板部に固定手段を設ける場合は、浴槽内に湯（水）を供給した際に、長尺の側板部が浴槽の外側へ倒れることを防止できるため、浴槽内からの湯（水）の漏れ出しを防止できる。
【００１４】
更に、浴槽内又は外部にマイクロナノバブルを供給する機構が設けられている場合、体の洗浄を十分に行うことができ、また、衛生的にも充分に対応可能な浴槽を提供できる。
更に、この場合、少量の湯（水）で人体の洗浄や殺菌が可能になるため、浴槽内に供給する湯量（水量）を少なくできる。このため、浴槽（シート材）の強度（硬度）を過剰に高める必要がなく、組立てや収納が更に容易になる。
【図面の簡単な説明】
【００１５】
【図１】（Ａ）〜（Ｃ）は本発明の一実施の形態に係る高機能入浴デバイスの組立て過程を示すフロー図である。
【図２】（Ａ）〜（Ｆ）は同高機能入浴デバイスの使用方法を示すフロー図である。
【図３】（Ａ）、（Ｂ）はそれぞれ変形例に係る高機能入浴デバイスの展開状態と組立て状態を示す斜視図、（Ｃ）、（Ｄ）は同高機能入浴デバイスの使用方法を示す斜視図である。
【発明を実施するための形態】
【００１６】
続いて、添付した図面を参照しつつ、本発明を具体化した実施の形態につき説明し、本発明の理解に供する。
図１（Ａ）〜（Ｃ）に示すように、本発明の一実施の形態に係る高機能入浴デバイス（以下、浴槽ともいう）１０は、１枚の矩形状（ここでは長方形であるが、正方形でもよい）のシート材１１で構成された簡易型浴槽である。以下、詳しく説明する。
【００１７】
シート材１１は、合成樹脂及びゴムのいずれか一方又は双方で構成されたものであり、厚みが２〜１０ｍｍ程度の合成樹脂（防水性を備えた材質）で構成することが好ましい。
ここで、合成樹脂には、例えば、ドライスーツに使用される材質であり、それぞれが独立気泡の発泡体を多数有するクロロプレンゴムを使用できるが、他の合成樹脂を使用することもできる。
【００１８】
このシート材１１は、展開状態では長方形であり、中央部に略長方形（長方形状）の底板部１２となる領域が、この底板部１２の４方に（底板部１２の各辺を介して）略長方形の第１〜第４の側板部１３〜１６となる領域が、底板部１２の四隅部（角部）に略正方形の第１〜第４の連結板部１７〜２０となる領域が、それぞれ形成されている。
この底板部１２と各側板部１３〜１６との連接部、及び、各側板部１３〜１６と各連結板部１７〜２０との連接部は、各側板部１３〜１６を立設状態とする際の折り曲げの目安（折り曲げ部）であり、ここでは、説明の便宜上、折り曲げ線２１〜２４と折り曲げ線２５〜３２として点線で示しているが、明確に示されるものではなく、また、直線状となるものでもない（例えば、曲線状）。なお、連接部の断面形状を、例えば、凹状、Ｕ字状、三角溝状とし、その厚みを、底板部と各側板部と各連結板部よりも薄くすることで、連接部の位置を明確にし、折り曲げ易くすることもできる。
【００１９】
シート材１１のサイズは、例えば、長尺側の全長Ｌが２０００〜３０００ｍｍ程度、短尺側の全幅Ｗが１２００〜２０００ｍｍ程度、である。
この場合、使用に際して浴槽１０の内寸となる底板部１２のサイズは、例えば、底板部１２の長辺（長尺側の第１、第３の側板部１３、１５）の長さＬ１が１４００〜２０００ｍｍ程度、短辺（短尺側の第２、第４の側板部１４、１６）の長さＷ１が６００〜１０００ｍｍ程度、である。また、使用に際し、底板部１２の４辺に対して立設状態となり、浴槽１０の高さとなる側板部１３〜１６の各短辺の長さＨ１〜Ｈ４（第１〜第４の連結板部１７〜２０の各辺の長さ）は同一で、例えば、３００〜５００ｍｍ程度である。
【００２０】
浴槽１０は、使用に際して側板部１３〜１６の各高さが同一高さであるため、連結板部１７〜２０はそれぞれ略正方形となっている。しかし、浴槽の用途に応じて、第１〜第４の側板部のいずれか１又は２以上の高さを異なる高さにすることもでき、この場合、第１〜第４の連結板部は略長方形となる。
また、シート材（底板部と、第１〜第４の側板部や連結板部）のサイズは、上記したサイズに限定されるものではなく、例えば、利用者（例えば、介護される人）の身長や浴槽内に供給する湯量（水深）等に応じて種々変更できる。
【００２１】
上記したように、各連結板部１７〜２０は、底板部１２と各側板部１３〜１６と共に、１枚のシート材１１に形成されている。
このため、隣り合う第１の側板部１３と第２の側板部１４の間、隣り合う第２の側板部１４と第３の側板部１５の間、隣り合う第３の側板部１５と第４の側板部１６の間、及び、隣り合う第４の側板部１６と第１の側板部１３の間は、それぞれ水漏れが発生しない状態（水漏防止状態）になっている。
【００２２】
この連結板部１７〜２０にはそれぞれ、底板部１２の４つの角部を基点にして斜め中央に延びる（各連結板部１７〜２０の対角線となる）折り曲げの目安が形成されている。
この折り曲げの目安も、前記した折り曲げ線２１〜３２と同様、明確に示されるものではなく、説明の便宜上、折り曲げ線３３〜３６として点線で示しているが、断面形状を、例えば、凹状、Ｕ字状、三角溝状とし、その厚みを、底板部と各側板部と各連結板部よりも薄くすることで、明確にし、折り曲げ易くすることもできる。
【００２３】
ここで、浴槽１０の組立てに際しては、底板部１２を平面とし、各連結板部１７〜２０が、組立てられる浴槽１０の内側に向かうように、各連結板部１７〜２０を折り曲げ線３３〜３６で折り曲げながら、各側板部１３〜１６を折り曲げ線２１〜２４で折り曲げて立設状態にする。なお、各連結板部１７〜２０は、浴槽１０の外側に向かうように、折り曲げ線３３〜３６で折り曲げてもよい。
これにより、浴槽１０内に供給する湯（又は水、以下同様）が、隣り合う側板部１３〜１６の間から漏れ出すことを防止できる。
【００２４】
また、連結板部１７〜２０には、仮止め部３７が設けられている。
この仮止め部３７は、端部に環状の受け部が設けられた伸縮可能なゴム製バンド３８と、この受け部に掛合可能な引っ掛け部が端部に設けられた掛合用バンド３９で構成され、ゴム製バンド３８が第１、第４の連結板部１７、２０の上部に、掛合用バンド３９が第２、第３の連結板部１８、１９の上部に、それぞれ設けられている。
これにより、浴槽１０を組立てた際に、折り曲げ線３３、３４で折り曲げられた各連結板部１７、１８を短尺側の側板部１４に、折り曲げ線３５、３６で折り曲げられた各連結板部１９、２０を短尺側の側板部１６に、それぞれ取り外し可能に固定できる。
【００２５】
なお、仮止め部による連結板部の側板部への固定は、上記した形態に限定されるものではなく、第１〜第４の連結板部を、第１〜第４の側板部のいずれかに取り外し可能に固定できればよく、例えば、各連結板部を長尺側の側板部に固定することも、また、各連結板部を短尺側と長尺側の側板部にそれぞれ固定することも可能である。
また、仮止め部は、第１〜第４の連結板部を、第１〜第４の側板部のいずれかに取り外し可能に固定できれば、上記した構成に限定されるものではなく、例えば、面ファスナーやチャック、ひも、スナップボタン、クリップ等を用いることもできる。更に、仮止め部は、その構成によっては、シート材に取り付け取り外し可能に設けることもできる。
【００２６】
このとき、隣り合う第１〜第４の側板部１３〜１６はそれぞれ、組立てられる浴槽１０の外側上部に設けられた保持手段４０（仮止め部３７と略同様の構成）によって連結されるため、各側板部１３〜１６の立設状態を維持できる。
具体的には、保持手段４０はゴム製バンド３８と掛合用バンド３９で構成され、ゴム製バンド３８が、長尺側の側板部１３、１５の長手方向両側上部に、掛合用バンド３９が、短尺側の側板部１４、１６の長手方向両側上部に、それぞれ設けられている。このため、保持手段４０は、隣り合う側板部１３〜１６を、各連結板部１７〜２０を介して取り外し可能に連結できる。なお、保持手段も、上記した仮止め部と同様、例えば、面ファスナーやチャック、ひも、スナップボタン、クリップ等で構成することもでき、また、その構成によっては、シート材に取り付け取り外し可能に設けることもできる。
【００２７】
また、対向する長尺側の側板部１３、１５には、この側板部１３、１５同士を仮連結する固定手段４１が設けられている。
具体的には、固定手段４１は、端部に環状の受け部が設けられた伸縮可能なゴム製バンド４２（ゴム製バンド３８と略同様の構成）と、この受け部に掛合可能な引っ掛け部が端部に設けられた掛合用バンド３９で構成され、ゴム製バンド４２が長尺側の一方の側板部１３の上部に、掛合用バンド３９が長尺側の他方の側板部１５の上部に、それぞれ設けられている。
【００２８】
使用にあっては、一方の側板部１３に設けられたゴム製バンド４２の受け部を、他方の側板部１５まで引っ張り、この側板部１５に設けられた掛合用バンド３９の引っ掛け部に引っ掛ける。
これにより、浴槽１０内に湯を供給した際に、長尺の側板部１３、１５が浴槽１０の外側へ倒れることを防止できるため、浴槽１０内からの湯の漏れ出しを防止できる。このため、固定手段４１は、側板部１３、１５の長手方向に間隔をあけて２箇所設けているが、例えば、浴槽の規模や側板部の強度に応じて、１箇所又は３箇所以上の複数箇所設けてもよい。
【００２９】
そして、底板部１２（側板部１３、１４側の角部）には、浴槽１０内の湯を浴槽１０外へ排出する栓付きの排水口４３が設けられている。
この栓付きの排水口４３の設置場所は、上記した場所に限定されるものではなく、側板部１３〜１６のいずれか１でもよく、また、底板部１２と側板部１３〜１６のいずれか２以上でもよい。
なお、栓付きの排水口の代わりにバルブ（例えば、開閉弁等）を用いることもできる。
【００３０】
このように構成した浴槽１０内に、湯を供給することで、介護される人の洗浄が可能になるが、浴槽１０内にマイクロナノバブルを供給する機構を、浴槽１０内又は外部に設けることが好ましい。マイクロナノバブルとは、径が数百ｎｍ（ナノメートル）以下（好ましくは、２００ｎｍ以下）の泡であり、例えば、殺菌効果のあるオゾンで作った泡であるが、これに限定されるものではなく、用途に応じて、空気や炭酸ガス等で作った泡を使用することもできる。
浴槽１０内にマイクロナノバブルを供給可能な構成としては、例えば、以下の形態がある。
【００３１】
図２（Ａ）〜（Ｆ）に示すように、マイクロナノバブルを発生させるマイクロナノバブル生成シート４４（以下、単に生成シートともいう）を、底板部１２上に配置する形態や、図３（Ａ）〜（Ｄ）に示す高機能入浴デバイス１０ａのように、マイクロナノバブル生成シート４５を、長尺側の側板部１５に配置する形態、あるいは、マイクロナノバブル生成素材（以下、単に生成素材ともいう）を、浴槽の一部又は内側全面（底板部と各側板部の全ての内側表面）に配置する形態等がある。
また、浴槽の内側の一部又は全部の表面に、マイクロナノバブルを発生させる加工を施すこともできる。
【００３２】
ここで、マイクロナノバブルは、配置あるいは加工された生成シート又は生成素材に、液体である湯（又は水）が接触することにより発生させることができ、具体的には、生成シート又は生成素材に湯（又は水）を流す（湯の流動）方法や、また、直接当てる方法等を用いることができる。
更に、マイクロナノバブルを発生させる加工が施された部材を、給湯や循環系、又はシャワーヘッド等に取り付け、外部で生成させたマイクロナノバブルを浴槽内へ供給することもできる。
【００３３】
続いて、本発明の一実施の形態に係る高機能入浴デバイス１０の使用方法を、図１（Ａ）、（Ｂ）と図２（Ａ）〜（Ｆ）を参照しながら説明する。
シート材１１を収納する際は、シート材１１がロール状に巻かれている（図１（Ａ）参照）。使用にあっては、まず、ロール状に巻かれたシート材１１を広げた状態にする（図１（Ｂ）参照）。
そして、広げられたシート材１１の底板部１２上に、マイクロナノバブル生成シート４４を配置し、このマイクロナノバブル生成シート４４上に枕４６を配置する（図２（Ａ）参照）。
【００３４】
次に、介護者４７は、介護される人（以下、被介護者ともいう）４８をシート材１１上に移動させ（図２（Ｂ）参照）、マイクロナノバブル生成シート４４上に仰向けに寝かせる（図２（Ｃ）参照）。
介護者４７は、底板部１２を平面とし、第４の連結板部２０が、形成される浴槽１０の内側に向かうように、連結板部２０を折り曲げ線３６で折り曲げながら、長尺側の一方の側板部１３と短尺側の他方の側板部１６を折り曲げ線２１、２４で折り曲げて立設状態にする。そして、隣り合う側板部１３と側板部１６を保持手段４０で連結する（図２（Ｄ）参照）。
【００３５】
介護者４７は更に、上記と同様の方法により、他の連結板部１７〜１９も折り曲げ線３３〜３５で、形成される浴槽１０の内側に折り曲げながら、長尺側の他方の側板部１５と短尺側の一方の側板部１４を折り曲げ線２２、２３で折り曲げて立設状態にする。そして、隣り合う側板部１３と側板部１４、隣り合う側板部１４と側板部１５、隣り合う側板部１５と側板部１６を、保持手段４０でそれぞれ連結する（図２（Ｅ）参照）。
次に、折り曲げ線３３、３４で折り曲げられた各連結板部１７、１８を短尺側の一方の側板部１４に、折り曲げ線３５、３６で折り曲げられた各連結板部１９、２０を短尺側の他方の側板部１６に、仮止め部３７によってそれぞれ固定する。また、対向する長尺側の側板部１３と側板部１５同士を固定手段４１で連結する。
【００３６】
以上の方法により、浴槽１０が形成される。
そして、介護者４７は、シャワーヘッド４９を用いて被介護者４８の体を洗う。
また、マイクロナノバブル生成シート４４を使用し、被介護者４８の背中側からマイクロナノバブルを発生させることで、少量の湯で被介護者４８の洗浄や殺菌が可能になる（図２（Ｆ）参照）。
なお、図３（Ａ）〜（Ｄ）に示す高機能入浴デバイス１０ａでは、マイクロナノバブル生成シート４５により、被介護者４８の側方からマイクロナノバブルを発生させて、被介護者４８の洗浄や殺菌ができる。
【００３７】
上記した方法で、介護者４７が被介護者４８の体を洗った後は、介護者４７は、排水口４３を開けて浴槽１０内の湯を排水し、被介護者４８の体を拭く。
そして、上記した方法とは逆の手順で浴槽１０を解体し、シート材１１に付着した水分を拭いて乾燥させ、ロール状に巻いて収納する（図１（Ａ）参照）。
従って、本発明の高機能入浴デバイス１０を用いることで、介護者が多大な労力を要することなく、従来よりも簡単に組立てや収納ができ、更には、被介護者の洗浄や殺菌も効率的に実施できる。
【００３８】
なお、浴槽内にマイクロナノバブルを供給する機構を、浴槽外に設ける場合、例えば、以下の方法で被介護者の洗浄や殺菌を行うことができる。
まず、浴槽外に設けた容器に、マイクロナノバブルの生成シートや生成素材を配置し、この容器内でマイクロナノバブルを発生させ、マイクロナノバブルを含む湯を製造する。
続いて、この湯を、ポンプ等（供給手段）を用いて浴槽内に輸送し、噴霧ノズルやシャワーヘッドを用いて、被介護者の洗浄や殺菌を行う。
【００３９】
また、浴槽内の一部又は外部にマイクロナノバブル生成素材を配置する場合、例えば、以下の方法で被介護者の洗浄や殺菌を行うことができる。
まず、湯を、マイクロナノバブル生成素材に直接当てて、マイクロナノバブルを発生させる。
続いて、マイクロナノバブルを含む湯を少量浴槽に溜め、例えば、タオル等を用いて被介護者の身体を拭く。
【００４０】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の高機能入浴デバイスを構成する場合も本発明の権利範囲に含まれる。
また、前記実施の形態においては、第１〜第４の側板部の形状を略長方形にした場合について説明したが、例えば、浴槽の用途に応じて、長手方向の一方側から他方側へかけて傾斜させた形状とすることも、また、部分的に凹部が形成された形状とすることもできる。
【符号の説明】
【００４１】
１０、１０ａ：高機能入浴デバイス、１１：シート材、１２：底板部、１３〜１６：側板部、１７〜２０：連結板部、２１〜３６：折り曲げ線、３７：仮止め部、３８：ゴム製バンド、３９：掛合用バンド、４０：保持手段、４１：固定手段、４２：ゴム製バンド、４３：排水口、４４、４５：マイクロナノバブル生成シート、４６：枕、４７：介護者、４８：介護される人、４９：シャワーヘッド
【図１】
2017217134.tif 000003
【図２】
2017217134.tif 000004
【図３】
2017217134.tif 000005
【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
合成樹脂及びゴムのいずれか一方又は双方からなる１枚の矩形状のシート材で構成された高機能入浴デバイスであって、
前記シート材には、長方形状の底板部と、該底板部の４辺に対して立設状態となる第１〜第４の側板部と、前記底板部の角部に位置する第１〜第４の連結板部が形成され、
更に、隣り合う前記第１〜第４の側板部を前記第１〜第４の連結板部を介して取り外し可能に連結し、前記第１〜第４の側板部の立設状態を維持させる保持手段が設けられ、
しかも、前記シート材をロール状に巻いて収納可能であることを特徴とする高機能入浴デバイス。
【請求項２】
請求項１記載の高機能入浴デバイスにおいて、前記シート材は、防水性を有する合成樹脂であることを特徴とする高機能入浴デバイス。
【請求項３】
請求項１又は２記載の高機能入浴デバイスにおいて、前記第１〜第４の側板部のうち、対向する長尺側の側板部には、該側板部同士を仮連結する固定手段が設けられていることを特徴とする高機能入浴デバイス。
【請求項４】
請求項１〜３のいずれか１項に記載の高機能入浴デバイスにおいて、前記底板部及び前記第１〜第４の側板部のいずれか１又は２以上には、バルブ又は栓付きの排水口が設けられていることを特徴とする高機能入浴デバイス。
【請求項５】
請求項１〜４のいずれか１項に記載の高機能入浴デバイスにおいて、前記底板部と前記第１〜第４の側板部とで形成された浴槽内にマイクロナノバブルを供給する機構が、該浴槽内又は外部に設けられていることを特徴とする高機能入浴デバイス。
【手続補正２】
【補正対象書類名】明細書
【補正対象項目名】全文
【補正方法】変更
【補正の内容】
【発明の詳細な説明】
【技術分野】
【０００１】
本発明は、例えば、寝たきりや要介護者の利用に適した簡易型の高機能入浴デバイスに関する。
【背景技術】
【０００２】
従来、介護においては、介護者が介護される人（以下、被介護者ともいう）を浴槽に運び入れて入浴させる介助作業がある。例えば、自宅においては、介護者が被介護者を浴室まで運んだり、また、介護用車に自宅まで来てもらい、介護者が被介護者を介護用車の浴槽まで運んだりして、入浴させている。
しかし、この場合、介護者が被介護者を特定の場所まで運ばなければならず、人的労力が多大になると共に、不便であり、改善が望まれていた。
【０００３】
上記した問題の改善方法として、簡易型の浴槽を用いることが考えられる。この簡易型の浴槽に関しては、例えば、以下の技術が提案されている。
特許文献１には、離間した一組の脚部に一組の棒状部材を横架して形成される枠組み構成体に、浴槽用無蓋箱状シートを設けて浴槽空間を形成した簡易浴槽が開示されている。
また、特許文献２には、２枚の平面シートを線形溶着し、３方又は４方の立体側壁を形成する空気室からなる折り畳み式浴槽が開示されている。
【先行技術文献】
【特許文献】
【０００４】
【特許文献１】特開２００３−１８０７８６号公報
【特許文献２】特開２００２−８５５０６号公報
【発明の概要】
【発明が解決しようとする課題】
【０００５】
しかしながら、特許文献１に開示の簡易浴槽は、脚部となる棒材と棒状部材を有する枠組み構成体を用いるため、構成部品の数が多く、簡易浴槽の組立てや解体の際の作業性が悪くなる。なお、簡易浴槽の収納においても、枠組み構成体の収納スペースを確保する必要がある。
また、特許文献２に開示の折り畳み式浴槽は、立体側壁の形成に際し、線形溶着された２枚の平面シート間に空気を供給する必要があるため、例えば、空気を供給するポンプ等を別途準備しなければならない。
なお、簡易型の浴槽を用いた際には、例えば、体の洗浄を十分に行うことができず、また、衛生的にも充分なものではないという懸念もある。
【０００６】
本発明はかかる事情に鑑みてなされたもので、従来よりも簡単に組立てや収納が可能であり、被介護者の洗浄や殺菌も効率的に実施可能な高機能入浴デバイスを提供することを目的とする。
【課題を解決するための手段】
【０００７】
前記目的に沿う本発明に係る高機能入浴デバイスは、合成樹脂及びゴムのいずれか一方又は双方からなる１枚の矩形状のシート材で構成された高機能入浴デバイスであって、
前記シート材には、長方形状の底板部と、該底板部の４辺に対して立設状態となる第１〜第４の側板部と、前記底板部の角部に位置する第１〜第４の連結板部が形成され、
更に、隣り合う前記第１〜第４の側板部を前記第１〜第４の連結板部を介して取り外し可能に連結し、前記第１〜第４の側板部の立設状態を維持させる保持手段が設けられ、
しかも、前記シート材をロール状に巻いて収納可能である。
【０００８】
本発明に係る高機能入浴デバイスにおいて、前記シート材は、防水性を有する合成樹脂であるのがよい。
【０００９】
本発明に係る高機能入浴デバイスにおいて、前記第１〜第４の側板部のうち、対向する長尺側の側板部には、該側板部同士を仮連結する固定手段を設けることができる。
【００１０】
本発明に係る高機能入浴デバイスにおいて、前記底板部及び前記第１〜第４の側板部のいずれか１又は２以上に、バルブ又は栓付きの排水口を設けることが好ましい。
【００１１】
本発明に係る高機能入浴デバイスにおいて、前記底板部と前記第１〜第４の側板部とで形成された浴槽内にマイクロナノバブルを供給する機構が、該浴槽内又は外部に設けられていることが好ましい。
【発明の効果】
【００１２】
本発明に係る高機能入浴デバイスは、合成樹脂及び／又はゴムで構成されたシート材に、長方形状の底板部と第１〜第４の側板部と第１〜第４の連結板部を形成し、この第１〜第４の側板部の立設状態を保持手段によって維持させるので、１枚のシート材を用いて入浴可能な空間、即ち浴槽を形成できる。
従って、従来よりも簡単に組立てや収納ができる。
【００１３】
ここで、対向する長尺側の側板部に固定手段を設ける場合は、浴槽内に湯（水）を供給した際に、長尺の側板部が浴槽の外側へ倒れることを防止できるため、浴槽内からの湯（水）の漏れ出しを防止できる。
【００１４】
更に、浴槽内又は外部にマイクロナノバブルを供給する機構が設けられている場合、体の洗浄を十分に行うことができ、また、衛生的にも充分に対応可能な浴槽を提供できる。
更に、この場合、少量の湯（水）で人体の洗浄や殺菌が可能になるため、浴槽内に供給する湯量（水量）を少なくできる。このため、浴槽（シート材）の強度（硬度）を過剰に高める必要がなく、組立てや収納が更に容易になる。
【図面の簡単な説明】
【００１５】
【図１】（Ａ）〜（Ｃ）は本発明の一実施の形態に係る高機能入浴デバイスの組立て過程を示すフロー図である。
【図２】（Ａ）〜（Ｆ）は同高機能入浴デバイスの使用方法を示すフロー図である。
【図３】（Ａ）、（Ｂ）はそれぞれ変形例に係る高機能入浴デバイスの展開状態と組立て状態を示す斜視図、（Ｃ）、（Ｄ）は同高機能入浴デバイスの使用方法を示す斜視図である。
【発明を実施するための形態】
【００１６】
続いて、添付した図面を参照しつつ、本発明を具体化した実施の形態につき説明し、本発明の理解に供する。
図１（Ａ）〜（Ｃ）に示すように、本発明の一実施の形態に係る高機能入浴デバイス（以下、浴槽ともいう）１０は、１枚の矩形状（ここでは長方形であるが、正方形でもよい）のシート材１１で構成された簡易型浴槽である。以下、詳しく説明する。
【００１７】
シート材１１は、合成樹脂及びゴムのいずれか一方又は双方で構成されたものであり、厚みが２〜１０ｍｍ程度の合成樹脂（防水性を備えた材質）で構成することが好ましい。
ここで、合成樹脂には、例えば、ドライスーツに使用される材質であり、それぞれが独立気泡の発泡体を多数有するクロロプレンゴムを使用できるが、他の合成樹脂を使用することもできる。
【００１８】
このシート材１１は、展開状態では長方形であり、中央部に略長方形（長方形状）の底板部１２となる領域が、この底板部１２の４方に（底板部１２の各辺を介して）略長方形の第１〜第４の側板部１３〜１６となる領域が、底板部１２の四隅部（角部）に略正方形の第１〜第４の連結板部１７〜２０となる領域が、それぞれ形成されている。
この底板部１２と各側板部１３〜１６との連接部、及び、各側板部１３〜１６と各連結板部１７〜２０との連接部は、各側板部１３〜１６を立設状態とする際の折り曲げの目安（折り曲げ部）であり、ここでは、説明の便宜上、折り曲げ線２１〜２４と折り曲げ線２５〜３２として点線で示しているが、明確に示されるものではなく、また、直線状となるものでもない（例えば、曲線状）。なお、連接部の断面形状を、例えば、凹状、Ｕ字状、三角溝状とし、その厚みを、底板部と各側板部と各連結板部よりも薄くすることで、連接部の位置を明確にし、折り曲げ易くすることもできる。
【００１９】
シート材１１のサイズは、例えば、長尺側の全長Ｌが２０００〜３０００ｍｍ程度、短尺側の全幅Ｗが１２００〜２０００ｍｍ程度、である。
この場合、使用に際して浴槽１０の内寸となる底板部１２のサイズは、例えば、底板部１２の長辺（長尺側の第１、第３の側板部１３、１５）の長さＬ１が１４００〜２０００ｍｍ程度、短辺（短尺側の第２、第４の側板部１４、１６）の長さＷ１が６００〜１０００ｍｍ程度、である。また、使用に際し、底板部１２の４辺に対して立設状態となり、浴槽１０の高さとなる側板部１３〜１６の各短辺の長さＨ１〜Ｈ４（第１〜第４の連結板部１７〜２０の各辺の長さ）は同一で、例えば、３００〜５００ｍｍ程度である。
【００２０】
浴槽１０は、使用に際して側板部１３〜１６の各高さが同一高さであるため、連結板部１７〜２０はそれぞれ略正方形となっている。しかし、浴槽の用途に応じて、第１〜第４の側板部のいずれか１又は２以上の高さを異なる高さにすることもでき、この場合、第１〜第４の連結板部は略長方形となる。
また、シート材（底板部と、第１〜第４の側板部や連結板部）のサイズは、上記したサイズに限定されるものではなく、例えば、利用者（例えば、介護される人）の身長や浴槽内に供給する湯量（水深）等に応じて種々変更できる。
【００２１】
上記したように、各連結板部１７〜２０は、底板部１２と各側板部１３〜１６と共に、１枚のシート材１１に形成されている。
このため、隣り合う第１の側板部１３と第２の側板部１４の間、隣り合う第２の側板部１４と第３の側板部１５の間、隣り合う第３の側板部１５と第４の側板部１６の間、及び、隣り合う第４の側板部１６と第１の側板部１３の間は、それぞれ水漏れが発生しない状態（水漏防止状態）になっている。
【００２２】
この連結板部１７〜２０にはそれぞれ、底板部１２の４つの角部を基点にして斜め中央に延びる（各連結板部１７〜２０の対角線となる）折り曲げの目安が形成されている。
この折り曲げの目安も、前記した折り曲げ線２１〜３２と同様、明確に示されるものではなく、説明の便宜上、折り曲げ線３３〜３６として点線で示しているが、断面形状を、例えば、凹状、Ｕ字状、三角溝状とし、その厚みを、底板部と各側板部と各連結板部よりも薄くすることで、明確にし、折り曲げ易くすることもできる。
【００２３】
ここで、浴槽１０の組立てに際しては、底板部１２を平面とし、各連結板部１７〜２０が、組立てられる浴槽１０の内側に向かうように、各連結板部１７〜２０を折り曲げ線３３〜３６で折り曲げながら、各側板部１３〜１６を折り曲げ線２１〜２４で折り曲げて立設状態にする。なお、各連結板部１７〜２０は、浴槽１０の外側に向かうように、折り曲げ線３３〜３６で折り曲げてもよい。
これにより、浴槽１０内に供給する湯（又は水、以下同様）が、隣り合う側板部１３〜１６の間から漏れ出すことを防止できる。
【００２４】
また、連結板部１７〜２０には、仮止め部３７が設けられている。
この仮止め部３７は、端部に環状の受け部が設けられた伸縮可能なゴム製バンド３８と、この受け部に掛合可能な引っ掛け部が端部に設けられた掛合用バンド３９で構成され、ゴム製バンド３８が第１、第４の連結板部１７、２０の上部に、掛合用バンド３９が第２、第３の連結板部１８、１９の上部に、それぞれ設けられている。
これにより、浴槽１０を組立てた際に、折り曲げ線３３、３４で折り曲げられた各連結板部１７、１８を短尺側の側板部１４に、折り曲げ線３５、３６で折り曲げられた各連結板部１９、２０を短尺側の側板部１６に、それぞれ取り外し可能に固定できる。
【００２５】
なお、仮止め部による連結板部の側板部への固定は、上記した形態に限定されるものではなく、第１〜第４の連結板部を、第１〜第４の側板部のいずれかに取り外し可能に固定できればよく、例えば、各連結板部を長尺側の側板部に固定することも、また、各連結板部を短尺側と長尺側の側板部にそれぞれ固定することも可能である。
また、仮止め部は、第１〜第４の連結板部を、第１〜第４の側板部のいずれかに取り外し可能に固定できれば、上記した構成に限定されるものではなく、例えば、面ファスナーやチャック、ひも、スナップボタン、クリップ等を用いることもできる。更に、仮止め部は、その構成によっては、シート材に取り付け取り外し可能に設けることもできる。
【００２６】
このとき、隣り合う第１〜第４の側板部１３〜１６はそれぞれ、組立てられる浴槽１０の外側上部に設けられた保持手段４０（仮止め部３７と略同様の構成）によって連結されるため、各側板部１３〜１６の立設状態を維持できる。
具体的には、保持手段４０はゴム製バンド３８と掛合用バンド３９で構成され、ゴム製バンド３８が、長尺側の側板部１３、１５の長手方向両側上部に、掛合用バンド３９が、短尺側の側板部１４、１６の長手方向両側上部に、それぞれ設けられている。このため、保持手段４０は、隣り合う側板部１３〜１６を、各連結板部１７〜２０を介して取り外し可能に連結できる。なお、保持手段も、上記した仮止め部と同様、例えば、面ファスナーやチャック、ひも、スナップボタン、クリップ等で構成することもでき、また、その構成によっては、シート材に取り付け取り外し可能に設けることもできる。
【００２７】
また、対向する長尺側の側板部１３、１５には、この側板部１３、１５同士を仮連結する固定手段４１が設けられている。
具体的には、固定手段４１は、端部に環状の受け部が設けられた伸縮可能なゴム製バンド４２（ゴム製バンド３８と略同様の構成）と、この受け部に掛合可能な引っ掛け部が端部に設けられた掛合用バンド３９で構成され、ゴム製バンド４２が長尺側の一方の側板部１３の上部に、掛合用バンド３９が長尺側の他方の側板部１５の上部に、それぞれ設けられている。
【００２８】
使用にあっては、一方の側板部１３に設けられたゴム製バンド４２の受け部を、他方の側板部１５まで引っ張り、この側板部１５に設けられた掛合用バンド３９の引っ掛け部に引っ掛ける。
これにより、浴槽１０内に湯を供給した際に、長尺の側板部１３、１５が浴槽１０の外側へ倒れることを防止できるため、浴槽１０内からの湯の漏れ出しを防止できる。このため、固定手段４１は、側板部１３、１５の長手方向に間隔をあけて２箇所設けているが、例えば、浴槽の規模や側板部の強度に応じて、１箇所又は３箇所以上の複数箇所設けてもよい。
【００２９】
そして、底板部１２（側板部１３、１４側の角部）には、浴槽１０内の湯を浴槽１０外へ排出する栓付きの排水口４３が設けられている。
この栓付きの排水口４３の設置場所は、上記した場所に限定されるものではなく、側板部１３〜１６のいずれか１でもよく、また、底板部１２と側板部１３〜１６のいずれか２以上でもよい。
なお、栓付きの排水口の代わりにバルブ（例えば、開閉弁等）を用いることもできる。
【００３０】
このように構成した浴槽１０内に、湯を供給することで、介護される人の洗浄が可能になるが、浴槽１０内にマイクロナノバブルを供給する機構を、浴槽１０内又は外部に設けることが好ましい。マイクロナノバブルとは、径が数百ｎｍ（ナノメートル）以下（好ましくは、２００ｎｍ以下）の泡であり、例えば、殺菌効果のあるオゾンで作った泡であるが、これに限定されるものではなく、用途に応じて、空気や炭酸ガス等で作った泡を使用することもできる。
浴槽１０内にマイクロナノバブルを供給可能な構成としては、例えば、以下の形態がある。
【００３１】
図２（Ａ）〜（Ｆ）に示すように、マイクロナノバブルを発生させるマイクロナノバブル生成シート４４（以下、単に生成シートともいう）を、底板部１２上に配置する形態や、図３（Ａ）〜（Ｄ）に示す高機能入浴デバイス１０ａのように、マイクロナノバブル生成シート４５を、長尺側の側板部１５に配置する形態、あるいは、マイクロナノバブル生成素材（以下、単に生成素材ともいう）を、浴槽の一部又は内側全面（底板部と各側板部の全ての内側表面）に配置する形態等がある。
また、浴槽の内側の一部又は全部の表面に、マイクロナノバブルを発生させる加工を施すこともできる。
【００３２】
ここで、マイクロナノバブルは、配置あるいは加工された生成シート又は生成素材に、液体である湯（又は水）が接触することにより発生させることができ、具体的には、生成シート又は生成素材に湯（又は水）を流す（湯の流動）方法や、また、直接当てる方法等を用いることができる。
更に、マイクロナノバブルを発生させる加工が施された部材を、給湯や循環系、又はシャワーヘッド等に取り付け、外部で生成させたマイクロナノバブルを浴槽内へ供給することもできる。
【００３３】
続いて、本発明の一実施の形態に係る高機能入浴デバイス１０の使用方法を、図１（Ａ）、（Ｂ）と図２（Ａ）〜（Ｆ）を参照しながら説明する。
シート材１１を収納する際は、シート材１１がロール状に巻かれている（図１（Ａ）参照）。使用にあっては、まず、ロール状に巻かれたシート材１１を広げた状態にする（図１（Ｂ）参照）。
そして、広げられたシート材１１の底板部１２上に、マイクロナノバブル生成シート４４を配置し、このマイクロナノバブル生成シート４４上に枕４６を配置する（図２（Ａ）参照）。
【００３４】
次に、介護者４７は、介護される人（以下、被介護者ともいう）４８をシート材１１上に移動させ（図２（Ｂ）参照）、マイクロナノバブル生成シート４４上に仰向けに寝かせる（図２（Ｃ）参照）。
介護者４７は、底板部１２を平面とし、第４の連結板部２０が、形成される浴槽１０の内側に向かうように、連結板部２０を折り曲げ線３６で折り曲げながら、長尺側の一方の側板部１３と短尺側の他方の側板部１６を折り曲げ線２１、２４で折り曲げて立設状態にする。そして、隣り合う側板部１３と側板部１６を保持手段４０で連結する（図２（Ｄ）参照）。
【００３５】
介護者４７は更に、上記と同様の方法により、他の連結板部１７〜１９も折り曲げ線３３〜３５で、形成される浴槽１０の内側に折り曲げながら、長尺側の他方の側板部１５と短尺側の一方の側板部１４を折り曲げ線２２、２３で折り曲げて立設状態にする。そして、隣り合う側板部１３と側板部１４、隣り合う側板部１４と側板部１５、隣り合う側板部１５と側板部１６を、保持手段４０でそれぞれ連結する（図２（Ｅ）参照）。
次に、折り曲げ線３３、３４で折り曲げられた各連結板部１７、１８を短尺側の一方の側板部１４に、折り曲げ線３５、３６で折り曲げられた各連結板部１９、２０を短尺側の他方の側板部１６に、仮止め部３７によってそれぞれ固定する。また、対向する長尺側の側板部１３と側板部１５同士を固定手段４１で連結する。
【００３６】
以上の方法により、浴槽１０が形成される。
そして、介護者４７は、シャワーヘッド４９を用いて被介護者４８の体を洗う。
また、マイクロナノバブル生成シート４４を使用し、被介護者４８の背中側からマイクロナノバブルを発生させることで、少量の湯で被介護者４８の洗浄や殺菌が可能になる（図２（Ｆ）参照）。
なお、図３（Ａ）〜（Ｄ）に示す高機能入浴デバイス１０ａでは、マイクロナノバブル生成シート４５により、被介護者４８の側方からマイクロナノバブルを発生させて、被介護者４８の洗浄や殺菌ができる。
【００３７】
上記した方法で、介護者４７が被介護者４８の体を洗った後は、介護者４７は、排水口４３を開けて浴槽１０内の湯を排水し、被介護者４８の体を拭く。
そして、上記した方法とは逆の手順で浴槽１０を解体し、シート材１１に付着した水分を拭いて乾燥させ、ロール状に巻いて収納する（図１（Ａ）参照）。
従って、本発明の高機能入浴デバイス１０を用いることで、介護者が多大な労力を要することなく、従来よりも簡単に組立てや収納ができ、更には、被介護者の洗浄や殺菌も効率的に実施できる。
【００３８】
なお、浴槽内にマイクロナノバブルを供給する機構を、浴槽外に設ける場合、例えば、以下の方法で被介護者の洗浄や殺菌を行うことができる。
まず、浴槽外に設けた容器に、マイクロナノバブルの生成シートや生成素材を配置し、この容器内でマイクロナノバブルを発生させ、マイクロナノバブルを含む湯を製造する。
続いて、この湯を、ポンプ等（供給手段）を用いて浴槽内に輸送し、噴霧ノズルやシャワーヘッドを用いて、被介護者の洗浄や殺菌を行う。
【００３９】
また、浴槽内の一部又は外部にマイクロナノバブル生成素材を配置する場合、例えば、以下の方法で被介護者の洗浄や殺菌を行うことができる。
まず、湯を、マイクロナノバブル生成素材に直接当てて、マイクロナノバブルを発生させる。
続いて、マイクロナノバブルを含む湯を少量浴槽に溜め、例えば、タオル等を用いて被介護者の身体を拭く。
【００４０】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の高機能入浴デバイスを構成する場合も本発明の権利範囲に含まれる。
また、前記実施の形態においては、第１〜第４の側板部の形状を略長方形にした場合について説明したが、例えば、浴槽の用途に応じて、長手方向の一方側から他方側へかけて傾斜させた形状とすることも、また、部分的に凹部が形成された形状とすることもできる。
【符号の説明】
【００４１】
１０、１０ａ：高機能入浴デバイス、１１：シート材、１２：底板部、１３〜１６：側板部、１７〜２０：連結板部、２１〜３６：折り曲げ線、３７：仮止め部、３８：ゴム製バンド、３９：掛合用バンド、４０：保持手段、４１：固定手段、４２：ゴム製バンド、４３：排水口、４４、４５：マイクロナノバブル生成シート、４６：枕、４７：介護者、４８：介護される人、４９：シャワーヘッド